(57)【要約】【課題】ディスク表面を見るだけで手間無くディスクに録画済のコンテンツの情報を知ることができる光ディスク記録方法および光ディスク記録装置を提供する。【解決手段】未記録の光ディスクに映像と音声より成るコンテンツをデータ記録面に記録すると共に、記録したコンテンツの情報をディスクのデータ記録面の反対面に書込む。その後、このコンテンツ記録済みのディスクに別のコンテンツを追記すると共に、ディスク回転方向の位置合わせをデータ記録面のアドレス情報を利用して行った上で、追記で録画したコンテンツの情報をディスクのデータ記録面の反対面に追加して書込む。【選択図】図１
2006338760.tif 000002
【特許請求の範囲】
【請求項１】
映像と音声の少なくとも一方よりなるコンテンツをディスクのデータ記録面に記録すると共に、前記データ記録面のアドレス情報により回転方向の位置決めをした上で、前記データ記録面とは反対のディスク面にコンテンツに付随した情報を書込むことを特徴とする光ディスク記録方法。
【請求項２】
既に１つ以上のコンテンツがデータ記録面に記録され、かつデータ記録面とは反対のディスク面にコンテンツに付随した情報が書込まれているディスクに対し、新たにコンテンツをデータ記録面に追加して記録すると共に前記コンテンツに付随した情報を更新することを特徴とする請求項１記載の光ディスク記録方法。
【請求項３】
コンテンツに付随した情報は図形あるいは文字で構成されることを特徴とする請求項２記載の光ディスク記録方法。
【請求項４】
新たに図形あるいは文字を追加して書込むことでコンテンツに付随した情報を更新することを特徴とする請求項３記載の光ディスク記録方法。
【請求項５】
図形あるいは文字をデータ記録面とは反対のディスク面に書込むと共に、前記図形あるいは文字の書込み領域を示す情報をデータ記録面に記録することを特徴とする請求項４記載の光ディスク記録方法。
【請求項６】
図形あるいは文字が既に書込まれている領域を示す情報をデータ記録面より読取り、書込み済みの領域と整合するように新たに図形あるいは文字を書込むことでコンテンツに付随した情報を更新することを特徴とする請求項４記載の光ディスク記録方法。
【請求項７】
既に書込まれている図形あるいは文字を消去してから、新たに図形あるいは文字を書込むことでコンテンツに付随した情報を更新することを特徴とする請求項３記載の光ディスク記録方法。
【請求項８】
図形あるいは文字をデータ記録面とは反対のディスク面に書込むと共に、前記図形あるいは文字の書込み領域を示す情報をデータ記録面に記録することを特徴とする請求項７記載の光ディスク記録方法。
【請求項９】
図形あるいは文字が既に書込まれている領域を示す情報をデータ記録面より読取り、既に書込まれている図形あるいは文字を消去してから新たに図形あるいは文字を書込むことでコンテンツに付随した情報を更新することを特徴とする請求項７記載の光ディスク記録方法。
【請求項１０】
既に１つ以上のコンテンツがデータ記録面に記録され、かつデータ記録面とは反対のディスク面にコンテンツに付随した情報が書込まれているディスクに対し、既に記録済みのコンテンツをデータ記録面より消去すると共に前記コンテンツに付随した情報を更新することを特徴とする請求項１記載の光ディスク記録方法。
【請求項１１】
コンテンツに付随した情報は図形あるいは文字で構成されることを特徴とする請求項１０記載の光ディスク記録方法。
【請求項１２】
消去するコンテンツに対応する図形あるいは文字を消去することでコンテンツに付随した情報を更新することを特徴とする請求項１１記載の光ディスク記録方法。
【請求項１３】
図形あるいは文字が既に書込まれている領域を示す情報をデータ記録面より読取り、消去するコンテンツに対応する図形あるいは文字を消去することでコンテンツに付随した情報を更新すると共に、データ記録面に記録されている前記図形あるいは文字が既に書込まれている領域を示す情報を更新することを特徴とする請求項１２記載の光ディスク記録方法。
【請求項１４】
映像と音声の少なくとも一方よりなるコンテンツをディスクのデータ記録面に記録するコンテンツ記録部と、前記データ記録面のアドレス情報により回転方向の位置合わせを行う回転方向位置合わせ部と、前記データ記録面とは反対のディスク面にコンテンツに付随した情報を書込むコンテンツ情報書込み部とを備えたことを特徴とする光ディスク記録装置。
【請求項１５】
既に１つ以上のコンテンツがデータ記録面に記録され、かつデータ記録面とは反対のディスク面にコンテンツに付随した情報が書込まれているディスクに対し、前記コンテンツ記録部において新たにコンテンツをデータ記録面に追加して記録すると共に、前記コンテンツ情報書込み部において前記コンテンツに付随した情報を更新することを特徴とする請求項１４記載の光ディスク記録装置。
【請求項１６】
コンテンツに付随した情報は図形あるいは文字で構成されることを特徴とする請求項１５記載の光ディスク記録装置。
【請求項１７】
新たに図形あるいは文字を追加して書込むことでコンテンツに付随した情報を更新することを特徴とする請求項１６記載の光ディスク記録装置。
【請求項１８】
図形あるいは文字をデータ記録面とは反対のディスク面に書込むと共に、前記図形あるいは文字の書込み領域を示す情報をデータ記録面に記録することを特徴とする請求項１７記載の光ディスク記録装置。
【請求項１９】
図形あるいは文字が既に書込まれている領域を示す情報をデータ記録面より読取り、書込み済みの領域と整合するように新たに図形あるいは文字を書込むことでコンテンツに付随した情報を更新することを特徴とする請求項１７記載の光ディスク記録装置。
【請求項２０】
既に書込まれている図形あるいは文字を消去してから、新たに図形あるいは文字を書込むことでコンテンツに付随した情報を更新することを特徴とする請求項１６記載の光ディスク記録装置。
【請求項２１】
図形あるいは文字をデータ記録面とは反対のディスク面に書込むと共に、前記図形あるいは文字の書込み領域を示す情報をデータ記録面に記録することを特徴とする請求項２０記載の光ディスク記録装置。
【請求項２２】
図形あるいは文字が既に書込まれている領域を示す情報をデータ記録面より読取り、既に書込まれている図形あるいは文字を消去してから新たに図形あるいは文字を書込むことでコンテンツに付随した情報を更新することを特徴とする請求項２０記載の光ディスク記録装置。
【請求項２３】
既に１つ以上のコンテンツがデータ記録面に記録され、かつデータ記録面とは反対のディスク面にコンテンツに付随した情報が書込まれているディスクに対し、前記コンテンツ記録部において既に記録済みのコンテンツをデータ記録面より消去すると共に、前記コンテンツ情報書込み部において前記コンテンツに付随した情報を更新することを特徴とする請求項１４記載の光ディスク記録装置。
【請求項２４】
コンテンツに付随した情報は図形あるいは文字で構成されることを特徴とする請求項２３記載の光ディスク記録装置。
【請求項２５】
消去するコンテンツに対応する図形あるいは文字を消去することでコンテンツに付随した情報を更新することを特徴とする請求項２４記載の光ディスク記録装置。
【請求項２６】
図形あるいは文字が既に書込まれている領域を示す情報をデータ記録面より読取り、消去するコンテンツに対応する図形あるいは文字を消去することでコンテンツに付随した情報を更新すると共に、データ記録面に記録されている前記図形あるいは文字が既に書込まれている領域を示す情報を更新することを特徴とする請求項２５記載の光ディスク記録装置。
【発明の詳細な説明】
【技術分野】
【０００１】
本発明は、映像や音声で構成されたコンテンツを光ディスクのデータ記録面に記録すると共にディスクのレーベル面にコンテンツに付随した情報を書込む光ディスク記録方法および光ディスク記録装置に関するものである。
【背景技術】
【０００２】
近年、映像信号や音声信号をデータ圧縮して光ディスクに記録するＤＶＤレコーダに代表される光ディスクレコーダが急速に普及している。ＤＶＤレコーダでは、予約録画機能を使って放送される番組をＤＶＤディスクに録画し、必要な時に再生して視聴することができる。ＤＶＤディスクのデータ容量（コンテンツを記録できる容量）は４．７ＧＢであり、ＤＶＤレコーダの長時間録画モードでは４〜８時間もの録画が可能である。よって、通常は複数の放送番組をディスクへの追記（コンテンツを録画済のディスクに別のコンテンツを追加して録画すること）により録画していく。
【０００３】
このように追記により放送番組を次々と録画する使用形態においては、ジャンル毎にディスクを変えて録画する場合などでは特に追記途中のディスクが多数存在することになる。この追記途中のディスクに録画されているコンテンツが何であるかを知るためにはその都度ディスクをＤＶＤレコーダに装着して記録済みデータ情報を読取りタイトルなどのコンテンツ情報をＴＶ画面上に表示させる必要があり、非常に手間がかかる。
【０００４】
そこで、ＤＶＤレコーダにレーベル面への印字機能を持たすことで、コンテンツの録画毎にタイトルを印字しておけば、ディスクのレーベル面を見るだけで瞬時にディスクに録画されているタイトルを知ることができる。しかし、コンテンツの録画を追記により次々と行う場合には、２回目以降のタイトル印字において印字済みのタイトルと印字位置を整合させるために、印字前にディスク回転方向の位置合わせを行なう必要がある。そのディスク回転方向の位置合わせ技術として、タイトル印字済みの領域を示すマーカをレーベル面に書込んでおき、タイトルを追加書込みする前にマーカを検出して回転方向の位置合わせをした上で未記録の領域にタイトルの追加書込みを行うものがある（例えば、特許文献１参照）。この技術を使えば、コンテンツ録画を繰り返して行う場合でもそれぞれ印字されるタイトルの位置が重なることが無く、複数のタイトルをバランス良く配置することができる。
【特許文献１】特開２００２−２９２９３９号公報
【発明の開示】
【発明が解決しようとする課題】
【０００５】
しかしながら、上記の技術ではレーベル面に必ずマーカが書込まれることになる。これはタイトル以外に余分なものが書込まれていることであり、ユーザにとっては見苦しいものとなってしまう。また、マーカ検出のために別途機構が必要となり、機器のコストアップにつながる。
【０００６】
本発明は、従来の課題を解決するもので、レーベル面にマーカを書込むことなく回転方向の位置合わせをした上で追加タイトルを書込むことができる光ディスク記録方法および光ディスク記録装置を提供することを目的とする。
【課題を解決するための手段】
【０００７】
本発明の光ディスク記録方法および光ディスク記録装置は、映像と音声の少なくとも一方よりなるコンテンツをディスクのデータ記録面に記録すると共に、前記データ記録面のアドレス情報により回転方向の位置決めをした上で、前記データ記録面とは反対のディスク面にコンテンツに付随した情報を書込むことを特徴とする。
【発明の効果】
【０００８】
本発明によれば、タイトルを追加して書込む場合にデータ記録面のアドレス情報よりディスクの回転方向の位置合わせをした上で追加タイトルを書込むため、ディスクのレーベル面には余分なものが書込まれることなくタイトル位置の揃った見易いタイトル表示がなされる。また、位置合わせのために余分な機構も必要でないのでコストアップも発生しない。
【発明を実施するための最良の形態】
【０００９】
以下、本発明の実施の形態について、図１から図９を用いて説明する。
【００１０】
（実施の形態１）
図１は本発明の実施の形態１におけるディスクのレーベル面（データ記録面の反対面）に書込まれた録画コンテンツのタイトルとディスク残容量とを示す概略図である。
【００１１】
コンテンツ録画を繰り返して残容量が減っていくにつれて、ディスク表面に描かれた棒グラフを構成する四角形の数が変化するというものである。残容量と四角形の数との関係の一例を図２に示す。コンテンツ録画が全く為されていない未記録ディスクには何も書込まれておらず、コンテンツ録画により残容量が減少するにつれて四角形が１個から１０個へと残容量に応じて増えていく。１０個の四角形が書かれたディスクは残容量が０．５ＧＢ以下である。
【００１２】
この残容量情報の書込み処理の手順について図３を用いて説明する。まず、未記録のディスクをレコーダ装置のドライブに挿入する。最初のコンテンツ録画１を実行する。録画完了後、ディスク上の残容量検出２を実行する。例えば検出した残容量Ｘが４．２ＧＢの場合には、２個の四角の書込み処理３と残容量目盛りの書込み処理４を実行し、さらに、録画コンテンツのタイトル書込み処理１０を実行することで、図１（ａ）に示すような形状で録画タイトルと残容量がディスクのレーベル面に視覚的に表示される。これにより、追記途中のディスクであっても録画されているコンテンツのタイトルが一目で分かり便利であるし、棒グラフを目視するだけで凡その残容量が瞬時に分かる。ここでレーベル面には例えば「LightScribe」技術を用いて録画タイトルとディスク残容量を書き込む。「LightScribe」技術の詳細は（http://www.lightscribe.com/）を参照のこと。
【００１３】
次に、別のコンテンツを追記録画するために、このディスクをレコーダ装置のドライブに挿入する。ディスクが記録済みディスクである場合には、ディスクの残容量検出５を実行する。例えば検出した残容量Ｙが２．２ＧＢの場合には６個の四角が既に書込まれていると判断する。続いて別のコンテンツの追記録画６を実行する。録画完了後、ディスク上の残容量検出７を実行する。例えば検出した残容量Ｚが０．２ＧＢの場合には、６個は既に書かれているので７個目から１０個目までの４個の四角の書込み処理８を実行する。続いて、録画コンテンツ数の検出９を実行する。その結果、例えば３番目のコンテンツ録画であれば、３番目のタイトル書込み位置にタイトルを書込むことで（タイトル書込み処理１０により実行）、図１（ｂ）に示すような形状で録画タイトルと残容量がディスクのレーベル面に視覚的に表示される。これにより、録画コンテンツのタイトルが一目で分かり便利であるし、１０個の四角が書込まれていることを目視するだけで残容量が０．５ＧＢ以下であることが瞬時に分かる。
【００１４】
録画コンテンツ数とタイトルの書込み位置との関係の一例を図４に示す。点線で囲んだ四角がタイトル書込み位置で上から１番目コンテンツのタイトル、２番目コンテンツのタイトルと続く。例えば、３番目のコンテンツのタイトルを書込む時には点線四角１１内に書込む。
【００１５】
追加してタイトルや残容量の棒グラフを書込むためには、ディスクの回転方向の位置合わせをした上で文字や図形を追加書込みする必要がある。このための位置合わせ手段について説明する。
【００１６】
光ディスクはデータを記録することで回転方向にトラックが構成される。このトラックは固定データ長のセクターが集まったものである。このセクター群にはトラック内で唯一のＩＤがそれぞれに割り振られている（詳細は「O plus E」1996年6月号（No.199）、新技術コミュニケーションズ発行、９３〜９７ページを参照）。未記録のディスクに初めてコンテンツを録画した時にデータ記録面に形成されたトラックの特定セクター（特定ＩＤを有する基準セクター）を回転方向の基準として定めておけば、追記録画時においても基準セクターの検出により回転方向の位置決めをしてタイトルや残容量情報を書込むことで先に書込み済のタイトルや残容量情報に正しく追加して書込みすることができる。
【００１７】
ディスクの回転方向の位置合わせ処理について図５を用いて説明する。まず、未記録のディスクに初めてコンテンツを録画する場合について説明する。録画対象の放送コンテンツ（映像信号と音声信号より成る）が記録ＡＶ処理部１２に入力され、映像と音声とがそれぞれデータ圧縮され多重化されてＡＶストリーム１２１が生成される。ＡＶストリーム１２１は記録部１３に入力され、誤り訂正符号の付加や記録変調などが行われ、記録再生用のピックアップ１４を介して光ディスク１５に記録される。放送コンテンツの録画が終了すると、光ディスク１５より記録データを再生する。ピックアップ１４を介して再生される再生信号は再生部１６に入力され、復調や誤り訂正が行われ、再生データ１６１が生成される。再生データ１６１は基準位置検出部１７に入力されＩＤ＝０を持つ基準セクターを検出する。制御部１８では、基準セクターの検出位相を回転方向の基準（０度）と定め、残容量を示す画像情報と録画したコンテンツのタイトルとがビットマップ生成部１９で生成される。生成されたビットマップ１９１は描画部２０で書込みのための信号に変換され、描画ヘッド２１を介してディスク１５のレーベル面に図１（ａ）に示すように書込まれる。
【００１８】
続いて、コンテンツが録画済のディスク１５に別のコンテンツを追記録画する場合について説明する。別のコンテンツの追記録画処理については先に説明した録画処理と同じであるので省略する。追記録画が終了すると、光ディスク１５より記録データを再生する。ピックアップ１４を介して再生される再生信号は再生部１６に入力され、復調や誤り訂正が行われ、再生データ１６１が生成される。再生データ１６１は基準位置検出部１７に入力されＩＤ＝０を持つ基準セクターを検出する。制御部１８では、基準セクターの検出位相を回転方向の基準（０度）と定め、残容量を示す画像情報の追加分と録画したコンテンツのタイトルとがビットマップ生成部１９で生成される。生成されたビットマップ１９１は描画部２０で書込みのための信号に変換され、描画ヘッド２１を介してディスク１５のレーベル面に既に書込み済の図形や文字と整合したように追加記録される。この結果、ディスク１５のレーベル面は図１（ｂ）のようになる。
【００１９】
追記録画によりディスクの残容量が殆ど無くなった場合など追記録画を行わないディスクに対してはユーザの指示を受けてあるいは自動的に残容量を示す情報を削除する。残容量を示す棒グラフおよび目盛りを消去可能な場合はそれらを消去すればよい。この場合は図７（ａ）に示すようになる。また、残容量を示す棒グラフおよび目盛りを消去不可能な場合には、図７（ｂ）に示すように塗りつぶすように図形を上書きすることで残容量を示す情報を削除すればよい。また、同様に録画済のコンテンツデータを削除した場合には、レーベル面に書込まれているタイトルも消去あるいは上書きによる塗りつぶしにより削除すればよい。
【００２０】
ここではコンテンツ録画時に書込むタイトルを一行に制限した場合について説明したので、図４に示すように録画コンテンツ数でタイトルの書込み位置が定まるが、タイトルが複数行に渡ることを許容するためには、書込み済のタイトル領域を例えば行数などでデータ記録面に記録しておき、追記録画時にはデータ記録面より書込み済のタイトル領域を読み取りそれに続く領域に追記録画したタイトルを書込めばよい。タイトル書込み後、書込み済のタイトル領域を更新あるいは追加書込みする。この場合のディスクの回転方向の位置合わせ処理を図６に示し、図５との違い（追加箇所）のみ説明する。
【００２１】
コンテンツ録画が終了しディスクの残容量とタイトルの書込みが完了すると、制御部１８の描画済領域管理部２２で描画済領域を示す情報２２１を生成する。描画済領域を示す情報２２１とは、例えばタイトル書込み済の行数が２行で、残容量の書込み済の四角が５個といった情報である。この描画済領域を示す情報２２１をディスクのデータ記録面に記録部１３を介して記録する。また、追記録画時にはディスクのデータ記録面に記録されている描画済領域を示す情報２２１を再生部１６を経て描画済領域管理部２２にて読み取る。この読み取った描画済領域を示す情報を基に追加して描画する図形および文字の位置を定める。また、残容量情報の消去時にも読み取った描画済領域を示す情報に基づいて消去位置を定め消去すればよい。
【００２２】
（実施の形態２）
図８は本発明の実施の形態２におけるディスクのレーベル面に書込まれたディスク残容量を示す概略図である。
【００２３】
追記によりコンテンツ録画を繰り返す場合において、録画コンテンツのタイトルを追加書込みすると共に、各録画モードでの録画可能時間を更新して書込むものである。一例として、最初のコンテンツ録画時に書込まれた後のレーベル面を図８（ａ）に、追記録画時に書込まれた後のレーベル面を図８（ｂ）に示す。また、残容量を示す情報を消去することにより削除した後のレーベル面を図９（ａ）に、上書きにより削除した後のレーベル面を図９（ｂ）に示す。実施の形態１との違いは書込む残容量の表示形態だけなので、タイトルの書込み処理および残容量情報の書込み処理についての説明は省略する。
【００２４】
ここではレーベル面への書込みが消去できない場合を想定して、図８に示すように矢印により記録可能時間を更新しているが、消去可能な場合は消去した後に新たに時間を書込むことで更新すればさらに分かり易い。
【産業上の利用可能性】
【００２５】
本発明にかかる光ディスク記録方法および光ディスク記録装置は、映像と音声の少なくとも一方よりなるコンテンツをディスクのデータ記録面に記録すると共に、データ記録面のアドレス情報により回転方向の位置決めをした上で、データ記録面とは反対のディスク面にコンテンツに付随した情報を書込むことによって、追記途中の光ディスクであってもデータ記録面とは反対のディスク面を見るだけで瞬時にディスクに録画済のコンテンツ情報が把握できることが必要な用途にも適用できる。
【図面の簡単な説明】
【００２６】
【図１】本発明の実施の形態１におけるディスクのレーベル面に書込まれた録画コンテンツ情報と残容量情報の概要を示すディスクの正面図
【図２】本発明の実施の形態１における残容量と棒グラフを構成する四角形の数との対応関係を示す説明図
【図３】本発明の実施の形態１における録画コンテンツ情報と残容量情報の書込み手順を示す概略図
【図４】本発明の実施の形態１におけるディスクのレーベル面の録画コンテンツ情報書込み領域の概要を示すディスクの正面図
【図５】本発明の実施の形態１における光ディスク記録処理を示すブロック図
【図６】本発明の実施の形態１におけるレーベル面への描画済領域を表わす情報をデータ記録面に記録して保持しておく処理を含む光ディスク記録処理を示すブロック図
【図７】本発明の実施の形態１における残容量情報を削除した後のディスクの正面図
【図８】本発明の実施の形態２におけるディスクのレーベル面に書込まれた録画コンテンツ情報と残容量情報の概要を示すディスクの正面図
【図９】本発明の実施の形態２における残容量情報を削除した後のディスクの正面図
【符号の説明】
【００２７】
１、６    コンテンツ録画
２、５、７    残容量検出
３、８    残容量情報の書込み
４    残容量目盛りの書込み
９    録画コンテンツ数検出
１０    録画コンテンツのタイトルの書込み
１１    録画コンテンツのタイトル書込み領域
１２    記録ＡＶ処理部
１３    記録部
１４    ピックアップ
１５    光ディスク
１６    再生部
１７    基準位置検出部
１８    制御部
１９    ビットマップ画像生成部
２０    描画部
２１    描画ヘッド
２２    描画済領域管理部
【図１】
2006338760.tif 000003
【図２】
2006338760.tif 000004
【図３】
2006338760.tif 000005
【図４】
2006338760.tif 000006
【図５】
2006338760.tif 000007
【図６】
2006338760.tif 000008
【図７】
2006338760.tif 000009
【図８】
2006338760.tif 000010
【図９】
2006338760.tif 000011